(57)【要約】【課題】電磁波に対するシールド効果を有するとともに、人体に接触して配置された場合には金属療法効果を奏する織物を提供する。【解決手段】本発明の織物は、横糸−縦糸構造（ｗｅｆｔ−ａｎｄ−ｗａｒｐ　ｓｔｒｕｃｔｕｒｅ）を有することを特徴としている。横糸−縦糸構造は、少なくとも部分的に、銅含有糸２、亜鉛含有糸３、およびシリコン含有糸３から構成されている。【選択図】　図２
2004011089.tif 000002
【特許請求の範囲】
【請求項１】
電磁気に対するバリア効果、および（または）金属療法効果を奏する織物であって、
少なくとも部分的に、銅含有糸（２）、亜鉛含有糸（３）、およびシリコン含有糸（４）から構成された横糸−縦糸構造を有することを特徴とする、織物。
【請求項２】
上記銅含有糸（２）、亜鉛含有糸（３）、およびシリコン含有糸（４）が、横糸−縦糸構造の縦糸を構成することを特徴とする、請求項１記載の織物。
【請求項３】
上記銅含有糸（２）、亜鉛含有糸（３）、およびシリコン含有糸（４）が、横糸−縦糸構造の横糸を構成することを特徴とする、請求項１記載の織物。
【請求項４】
上記銅含有糸（２）、亜鉛含有糸（３）、およびシリコン含有糸（４）が、横糸−縦糸構造の横糸および縦糸の両方を構成することを特徴とする、請求項１〜３のいずれか１つに記載の織物。
【請求項５】
上記銅含有糸（２）および（または）亜鉛含有糸（３）および（または）シリコン含有糸（４）は、天然糸または人工糸（５）の横糸または縦糸と交互に配置されていることを特徴とする、請求項１〜４のいずれか１つに記載の織物。
【請求項６】
３組の糸群からなる請求項１〜５のいずれか１つに記載の織物であって、
当該３組は、複数の銅含有糸（２）からなる第１組、複数の亜鉛含有糸（３）からなる第２組、および複数のシリコン含有糸（４）からなる第３組であって、
当該３組は、縦糸であって、横糸方向に互いに交互に連続していることを特徴とする、織物。
【請求項７】
３組の糸群からなる請求項１〜６のいずれか１つに記載の織物であって、
当該３組は、複数の銅含有糸（２）からなる第１組、複数の亜鉛含有糸（３）からなる第２組、および複数のシリコン含有糸（４）からなる第３組であって、
当該３組は、横糸であって、縦糸方向に互いに交互に連続していることを特徴とする、織物。
【請求項８】
上記３組の糸群は、人工糸または天然糸（５）を間に介在させて間隔を開けて配置されていることを特徴とする、請求項６記載の織物。
【請求項９】
請求項１〜８のいずれか１つに記載の織物で作られていることを特徴とする、衣類または衣類の構成要素。
【請求項１０】
請求項１〜８のいずれか１つに記載の織物で作られていることを特徴とする、ガードル、足首バンド、膝バンド、肩バンデージ、ガーゼ、リストバンド等のサニタリー衣類。
【請求項１１】
請求項１〜８のいずれか１つに記載の織物で作られていることを特徴とする、フットウェアまたはフットウェアの構成要素。
【請求項１２】
請求項１〜８のいずれか１つに記載の織物で作られていることを特徴とする、室内装飾品。
【請求項１３】
請求項１〜８のいずれか１つに記載の織物で作られていることを特徴とする、室内装飾要素のカバー。
【請求項１４】
請求項１〜８のいずれか１つに記載の織物で作られていることを特徴とする、ベッドリネン。
【発明の詳細な説明】
【０００１】
【発明の属する技術分野】
本発明は、磁界および電界に対するバリア効果、および（または）金属療法効果を与えるのに適した織物（ファブリック）に関する。
【０００２】
【技術背景】
金属療法の基礎となる理論は、人体をボルタパイルに例える。この理論は、陽金属のプレート（例えば、銅）を背中側に配置し、陰金属のプレート（例えば、亜鉛）を腹部側に配置して、これら２つのプレートをマイクロアンペア計の２つの極に接続すると、２つのプレート間に（すなわち、人体を通して）電流が流れることが観察されたことから始まった。
【０００３】
２つのプレートを伝導性ワイヤで接続すると、人体内に短絡およびイオン化が生じ、その結果、陽金属のイオンが人体を貫通する。
【０００４】
この貫通は、伝導材料として機能するシリコンで上記２つのプレートを接続した場合にも発生する。ただし、その場合、貫通は、より低速で小さな領域に限られる。
【０００５】
交感神経系の痙攣は、白血球の塊が毛細血管を塞ぐことによって生じるものであるが、人体を貫通する少数金属元素は、痙攣した交感神経系の末端に作用し、痙攣を緩和して、人体を循環するうちに死または液化した白血球を除去する。
【０００６】
本質的に、この理論によれば、陽金属および陰金属を皮膚表面に配置すれば、微小な電流が生じる。この微小電流は、ある欠陥、あるいは機能的または神経的な慢性の苦痛（そこでは、酸血症が常習となっている）を癒したり、改善することができる。基本的な考え方は、人体、皮膚、体液が、乾電池の液体またはコンパウンドとして使用され、２つの金属（陽金属と陰金属）と導電体として機能するシリコンとともに、現実のボルタパイルとされるということである。
【０００７】
“人間パイル”は、その生体電解質が多かれ少なかれ酸性であるので、個々の酸性度に依存して活発に機能したり、そうでなかったりする。したがって、結果的に生じる細胞内電流は、その強さが生体アシドーシス（酸血症）に依存するので、自己調節が可能である。
【０００８】
金属療法によって得られる効果は、人体の全体的刺激；栄養機能の刺激；生体残留物および塊の自然で自発的な除去；血液循環の改善；神経エネルギの回復である。
【０００９】
特に、銅と亜鉛を組み合わせて使用すると、リウマチ痛の発症を防ぎ、精神的なストレス状態を緩和する。シリコンを使用すると、過度の発汗を防ぎ、しかも、皮膚を乾燥させることなく、弾力的かつ柔軟に保つ。
【００１０】
さらに、例えば銅等のある種の金属は、電磁波に対してシールド効果を有することが知られている。
【００１１】
【発明が解決しようとする課題】
電気機器や電子機器の普及により、電磁波の潜在的な危険性から人々を保護するという問題が大きな関心事となった。近年における、ラジオ、コンピュータ、テレビジョンセット、ワイヤレスホンの著しい発達により、この問題はますます大きなものとなった。
【００１２】
本発明の目的は、共通点のない別々の用途に使用できる、織物を提供することである。すなわち、本発明の織物は、電磁波に対するシールド効果を有する。そして、人体に接触して配置された場合には、金属療法効果を奏する。
【００１３】
さらに本発明の目的は、上記のような織物であって、現在商業的に入手可能な織機を用いて製造可能なものを提供することである。
【００１４】
本発明の他の目的は、競争に耐え得るコストで製造できる織物を提供することである。
【００１５】
【課題を解決するための手段・作用・効果】
以上の目的および他の目的は、後の説明によって明らかになるであろう。それらの目的は、電磁気に対するバリア効果、および（または）金属療法効果を奏するのに適した本発明の織物によって達成される。本発明の織物は、横糸−縦糸構造（ｗｅｆｔ−ａｎｄ−ｗａｒｐ　ｓｔｒｕｃｔｕｒｅ）を有することを特徴としている。横糸−縦糸構造は、少なくとも部分的に、銅含有糸、亜鉛含有糸、およびシリコン含有糸から構成されている。
【００１６】
【発明の実施の形態】
本発明の実施形態を添付の図面を参照して以下に詳細に説明する。図面には、本発明の織物を参照数字１で示している。織物１は、横糸−縦糸構造を有する。
【００１７】
この横糸−縦糸構造中では、縦糸および（または）横糸の少なくとも幾つかは、銅含有糸２、亜鉛含有糸３、およびシリコン含有糸４で構成されている。
【００１８】
銅、亜鉛、およびシリコンは、フィラメントの形態で与えられて、織機で直接加工されることで織物を構成してもよい。または、織物を製造するのに使用される天然糸または人工糸中に、粉体（パウダー）、繊維、または粒子の形態で埋め込まれてもよい。
【００１９】
銅、亜鉛、およびシリコンを含有する糸２、３、４は、縦糸にのみ使用されても、横糸にのみ使用されても、あるいは両方の糸に使用されてもよい。
【００２０】
銅含有糸２および（または）亜鉛含有糸３および（または）シリコン含有糸４は、必要に応じて、天然糸（または人工糸）５の縦糸または横糸と交互に配置されてもよい。
【００２１】
好ましくは、３組の糸群が、横糸および（または）縦糸に沿って、所定間隔をもって、交互に、繰返し、連続して、織物中に配置される。３組の糸群とは、複数の銅含有糸２からなる第１組、複数の亜鉛含有糸３からなる第２組、および複数のシリコン含有糸４からなる第３組である。天然糸（または人工糸）５は、同一組中の各糸間に配置される。さらに、糸２、３、４の多様な組は、互いに接触させたり、人工糸（または天然糸）５の組を間に介在させて間隔を開けることもできる。
【００２２】
本発明の織物は、多様な分野において使用することが可能である。単なる例示ではあるが、本発明の織物は、例えば以下のものに適用できる。
（１）衣類：靴下、ストッキング、アンダーパンツ、アンダーシャツ、Ｔシャツ、ボディスーツ、スカーフ、帽子、バラクラバ、手袋、イヤーマフ（耳おおい）、つなぎ服、パジャマ、アンダーウェアのガセット（まち）、水着のガセット（まち）、カラー（襟）、衣類のライニング、ライニング一般；
（２）サニタリー製品：フットレット、支持ベルト、ガードル、足首バンド、膝バンド、肩バンデージ、ガーゼ、ヘッドバンド、リストバンド、口当てマスク；
（３）フットウェア：靴、スリッパ、サンダル、ブーツ、インソール（中敷）、フットウェアの裏張り、フットウェアのパッド；
（４）室内装飾品：カーテン、掛け布、カーペット、布張り、カバー（椅子、ソファ、アームチェア用）；
（５）ベッドリネン：シーツ、枕ケース、マットレスカバー；
（６）その他
【００２３】
本発明の織物が人体には直接接しない物品に使用された場合には、銅、亜鉛、シリコンを含有する糸の存在により、当該物品は、電磁気に対するバリア効果を奏する。バリア効果の有効性は、磁界の位置、電磁波の放出源の位置、ユーザの位置等に対する、織物の位置によって異なる。実験によりバリア効果は織物から数１０ｃｍ先の位置まで及ぶことが分かっているので、ユーザは、織物によって完全に覆われている必要はない。
【００２４】
本発明の織物が人体に接触する場合には、上述した電磁気に対するバリア効果に加えて、銅、亜鉛、およびシリコンによる複合効果として金属療法効果を奏する。これにより、局所的効果として、血液循環、関節痛やリウマチ痛の防止および緩和、発汗の調整、全身的効果として、感情的ストレスの低減が達成される。
【００２５】
実際のところ、本発明の織物が所期の目的を完全に達成したことが確認された。銅、亜鉛、およびシリコンの存在により、本発明の織物は、磁界および電磁波に対するバリア効果を奏し、また人体（皮膚）に直接接触して使用された場合には金属療法効果を奏する。
【００２６】
本発明の織物による他の利点は、ユーザに不快感を与えないことである。
【００２７】
特許請求の範囲で特定した発明の範囲を超えない限りにおいて、ここに説明した実施形態に対して、多様な変更を施すことが可能である。
【図面の簡単な説明】
【図１】本発明の織物を示す表面図である。
【図２】図１の織物を部分的に拡大して示す図である。
【符号の説明】
１　織物
２　銅含有糸
３　亜鉛含有糸
４　シリコン含有糸
５　天然糸（または人工糸）
【図１】
2004011089.tif 000003
【図２】
2004011089.tif 000004